【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
裏材層と、前記裏材層の主表面に隣接する少なくとも１つの感圧性接着剤層と、を含む接着テープであって、
前記裏材層は、（１）第１の重合性反応混合物の第１の重合生成物を含む、第１のアクリルコポリマーを含み、
前記第１の重合性反応混合物は、
（ａ）第１の重合性反応混合物中の重合性材料の総重量に基づき最大７０重量パーセントの量の少なくとも２つの（メタ）アクリロイル基を含む第１の架橋剤と、
（ｂ）（ｉ）第１の一価のモノマー混合物、又は、（ｉｉ）前記第１の一価のモノマー混合物の部分重合生成物と、を含み、
前記第１の一価のモノマー混合物は、
１）前記第１の重合性反応混合物中の前記重合性材料の総重量に基づき少なくとも４０重量パーセントに等しい量の低Ｔｇ生成アクリルモノマーであって、重合されると、２０℃以下のガラス転移温度（Ｔｇ）を有するホモポリマーを形成できるアクリルモノマーと、
２）前記第１の重合性反応混合物中の前記重合性材料の総重量に基づき最大３５重量パーセントの量の第１の極性モノマーと、を含み、
前記少なくとも１つの感圧性接着剤層は、
（１）第２の重合性反応混合物の第２の重合生成物を含む、前記第１のアクリルコポリマーとは異なる第２のアクリルコポリマーと、
（２）前記第２のアクリルコポリマーの総重量に基づき最大２５重量パーセントの量で前記第２のアクリルコポリマー中に分散又は懸濁される無機粒子と、を含み、
前記第２の重合性反応混合物は、
（ａ）前記第２の重合性反応混合物中の重合性材料の総重量に基づき最大２５重量パーセントの量の少なくとも２つの（メタ）アクリロイル基を有する第２の架橋剤と、
（ｂ）（ｉ）第２の一価モノマー混合物、又は、（ｉｉ）前記第２の一価のモノマー混合物の部分重合生成物のいずれかと、を含み、
前記第２の一価のモノマー混合物は、
１）前記第２の重合性反応混合物中の重合性材料の総重量に基づき少なくとも４０重量パーセントに等しい量の少なくとも４個の炭素原子のアルキル基を有するアルキル（メタ）アクリレートと、
２）前記第２の重合性反応混合物中の重合性材料の総重量に基づき最大４０重量パーセントの量の第２の極性モノマーと、を含み、
引き伸ばして剥離され、破断せずに第１の方向に少なくとも５０パーセント引き伸ばし可能である、接着テープ。
【請求項２】
第１の基板、
第２の基材と、
前記第１の基材と前記第２の基材との間に位置付けられる接着テープを含む物品であって、
前記接着テープは、が前記第１の基材を前記第２の基材に連結し、
前記接着テープは、
（Ａ）裏材層と、
（Ｂ）前記裏材層の第１の主表面に隣接する第１の感圧性接着剤層、及び、前記裏材層の第２の主表面に隣接する第２の感圧性接着剤層と、
（Ｃ）前記第１の基材及び前記第２の基材の少なくとも１つを超えて延在するツメと、
を含み、
前記裏材層は、（１）第１の重合性反応混合物の第１の重合生成物を含む第１のアクリルコポリマーを含み、
前記第１の重合性反応混合物は、
（ａ）前記第１の重合性反応混合物中の重合性材料の総重量に基づき最大７０重量パーセントの量の少なくとも２つの（メタ）アクリロイル基を含む第１の架橋剤と、
（ｂ）（ｉ）第１の一価のモノマー混合物、又は、ｉｉ）前記第１の一価のモノマー混合物の部分重合生成物と、を含み、
前記第１の一価のモノマー混合物は、
１）前記第１の重合性反応混合物中の前記重合性材料の総重量に基づき少なくとも４０重量パーセントに等しい量の低Ｔｇ生成アクリルモノマーであって、重合されると、２０℃以下のガラス転移温度（Ｔｇ）を有するホモポリマーを形成できるアクリルモノマーと、
２）前記第１の重合性反応混合物中の前記重合性材料の総重量に基づき最大３５重量パーセントの量の第１の極性モノマーと、を含み、
前記第１の感圧性接着剤層及び第２の感圧性接着剤層はそれぞれ、
（１）第２の重合性反応混合物の第２の重合生成物を含む、前記第１のアクリルコポリマーとは異なる第２のアクリルコポリマーと、
（２）前記第２のアクリルコポリマーの重量に基づき最大２５重量パーセントの量で前記第２のアクリルコポリマー中に分散又は懸濁される無機粒子と、を含み、
前記第２の重合性反応混合物は、
（ａ）前記第２の重合性反応混合物中の重合性材料の総重量に基づき最大２５重量パーセントの量の少なくとも２つの（メタ）アクリロイル基を有する第２の架橋剤と、
（ｂ）（ｉ）第２の一価のモノマー混合物、又は、（ｉｉ）前記第２の一価のモノマー混合物の部分重合生成物と、を含み、
前記第２の一価のモノマー混合物は、
１）前記第２の重合性反応混合物中の重合性材料の総重量に基づき少なくとも４０重量パーセントに等しい量の少なくとも４個の炭素のアルキル基を有するアルキル（メタ）アクリレートと、
２）前記第２の重合性反応混合物中の重合性材料の総重量に基づき最大４０重量パーセントの量の第２の極性モノマーと、を含み、
前記ツメを引くことによって前記接着テープが引き伸ばされ、前記第１の基材から、又は前記第２の基材から、又は前記第１の基材及び前記第２の基材の両方から前記接着テープが剥離され、
前記ツメが引かれるとき、前記接着テープが破断せずに第１の方向に少なくとも５０パーセント引き伸ばし可能である、物品。
【請求項３】
第１の基材と、
前記第１の基材に接着される接着テープと、を含む物品であって、
前記接着テープは、
（Ａ）裏材層と、
（Ｂ）前記裏材層の第１の主表面に隣接する第１の感圧性接着剤層と、
（Ｃ）前記第１の基材を超えて延在するツメと、を含み、
前記裏材層は、（１）第１の重合性反応混合物の第１の重合生成物を含む第１のアクリルコポリマーを含み、
前記第１の重合性反応混合物は、
（ａ）第１の重合性反応混合物中の重合性材料の総重量に基づき最大７０重量パーセントの量の少なくとも２つの（メタ）アクリロイル基を含む第１の架橋剤と、
（ｂ）（ｉ）第１の一価のモノマー混合物、又は、（ｉｉ）前記第１の一価のモノマー混合物の部分重合生成物と、を含み、
前記第１の一価のモノマー混合物は、
１）前記第１の重合性反応混合物中の重合性材料の総重量に基づき少なくとも４０重量パーセントに等しい量の低Ｔｇ生成アクリルモノマーであって、重合されると、２０℃以下のガラス転移温度（Ｔｇ）を有するホモポリマーを形成できるアクリルモノマーと、
２）前記第１の重合性反応混合物中の重合性材料の総重量に基づき最大３５重量パーセントの量の第１の極性モノマーと、を含み、
前記第１の感圧性接着剤層は、
（１）第２の重合性反応混合物の第２の重合生成物を含む、前記第１のアクリルコポリマーとは異なる第２のアクリルコポリマーと、
（２）前記第２のアクリルコポリマーの重量に基づき最大２５重量パーセントの量で第２のアクリルコポリマー中に分散又は懸濁される無機粒子と、を含み、
前記第２の重合性反応混合物は、
（ａ）前記第２の重合性反応混合物中の重合性材料の総重量に基づき最大２５重量パーセントの量の少なくとも２つの（メタ）アクリロイル基を有する第２の架橋剤と、
（ｂ）（ｉ）第２の一価のモノマー混合物、又は、（ｉｉ）前記第２の一価のモノマー混合物の部分重合生成物のいずれかと、を含み、
前記第２の一価のモノマー混合物は、
１）前記第２の重合性反応混合物中の重合性材料の総重量に基づき少なくとも４０重量パーセントに等しい量の少なくとも４個の炭素のアルキル基を有するアルキル（メタ）アクリレートと、
２）前記第２の重合性反応混合物中の重合性材料の総重量に基づき最大４０重量パーセントの量の第２の極性モノマーと、を含み、
前記ツメを引くことによって前記接着テープが引き伸ばされ、前記第１の基材から前記接着テープが剥離され、
前記ツメが引かれるとき、前記接着テープが破断せずに第１の方向に少なくとも５０パーセント引き伸ばし可能である、物品。